(57)【要約】【解決手段】電気コネクタは絶縁体（２）、該絶縁体に収容された複数の信号端子（５１〜５８）及び接地端子（Ｇ１〜Ｇ４）を有する。各端子は接点部分（３００）、脚部分（３０１）及び接続部分（３０２）を有する。接点部分は絶縁体上に２列で配列され、脚部分は２列で配列されている。一列に含まれる脚部分の自由端の位置は、それらの接点部分の位置配列と一致する。列内の各信号端子対の脚部分の自由端と比較して、他方の列内の２本の対応する隣接した端子の脚部分の自由端の間の距離は増大されている。【選択図】図９ｂ
2010532914.tif 000002
【特許請求の範囲】
【請求項１】
電気コネクタであって、
絶縁体と、
絶縁体に支持された複数の導電性信号端子及び複数の接地端子とを有し、
各信号端子と各接地端子とが、接点部分、テール部分、及び、接点部分とテール部分とを相互接続する接続部分を有し、
信号端子及び接地端子の接点部分は、前記絶縁体上において第１行及び第２行に配列されており、前記第１行を構成する前記信号端子及び接地端子は、前記第１行内で互いに等距離で離間されており、前記第２行を構成する前記信号端子及び接地端子は、前記第２行内で互いに等距離で離間されており、
前記信号端子及び接地端子のテール部分は第１行及び第２行に配列されており、前記テール部分の第１行を構成する前記信号端子及び接地端子は前記第１行内で互いに等距離で離間されており、前記第２行の信号端子及び接地端子のテール部分のうちのいくつかのテール部分は互いに等距離で離間されており、テール部分の前記第２行を構成する前記信号端子及び接地端子のテール部分のうちの他のテール部分は互いに等距離に離間されていない電気コネクタ。
【請求項２】
前記第１行を構成する前記信号端子及び接地端子の接点部分が互いに離間された距離と、前記第２行を構成する前記信号端子及び接地端子の接点部分が互いに離間する距離とが同じ距離である、請求項１に記載の電気コネクタ。
【請求項３】
前記第１行を構成する前記信号端子及び接地端子の接点部分が互いに離間された距離が、前記第１行を構成する前記信号端子及び接地端子の接点部分が互いに離間された距離と同じである、請求項２に記載の電気コネクタ。
【請求項４】
前記端子のテール部分の第２行を構成する前記信号端子及び接地端子の接点部分の等距離に離間された自由端の距離が、前記第２行を構成する前記信号端子及び接地端子の接点部分が互いに離間された距離と等しい、請求項３に記載の電気コネクタ。
【請求項５】
脚部分の第２行を構成する前記信号端子及び接地端子のテール部分の等距離に離間されていない自由端の距離が、等距離に離間された端子の距離の２倍である、請求項４に記載の電気コネクタ。
【請求項６】
前記信号端子及び接地端子の接点部分の配列が、高解像度マルチメディアインターフェイス規格に準拠する、請求項１に記載の電気コネクタ。
【請求項７】
前記テール部分の第２行を構成する前記信号端子及び接地端子のテール部分の等距離に離間されていない自由端の距離が、前記テール部分の第２行を構成する等距離に離間された信号端子及び接地端子のテール部分の距離の２倍である、請求項３に記載の電気コネクタ。
【請求項８】
前記端子の接続部分はそれぞれ、前記端子の接点部分から水平方向と垂直方向の両方に延在する、請求項７に記載の電気コネクタ。
【請求項９】
前記第２行の前記端子のうちの選択された端子のテール部分は、接続部分から垂直方向に延在し、前記第２行の他の端子の前記テール部分は、斜めに曲げられ、垂直方向に延在する、請求項８に記載の電気コネクタ。
【請求項１０】
前記絶縁体は、更に複数の保持穴を備える保持板を有し、前記端子のテール部分は、対応する保持穴に挿入されている、請求項１に記載の電気コネクタ。
【請求項１１】
前記絶縁体は、更に係合溝を有し、係合溝と係合するための係合バンプが保持板上に設けられている、請求項１０に記載の電気コネクタ。
【請求項１２】
電気コネクタであって、
ハウジングと、
ハウジング内に配置された複数の導電性端子であって、各端子が、接点部分とテール部分とを有し、接点部分とテール部分とは前記端子の両端に配置されており、
端子の接点部分は、第１組の離間した２行に配列され、端子のテール部分は、第２組の離間した２行に配列され、
前記端子のうちのいくつかは、少なくとも第１、第２及び第３の別個の端子群を構成し、第１、第２及び第３の端子群はそれぞれ、第１及び第２の信号端子とこれらに関連付けられた接地端子とを有し、
前記第１、第２及び第３の端子群はそれぞれ第１及び第２の配列で配列されており、第１の配列は、前記端子の接点部分に沿って配置されており、第２の配列は、前記端子のテール部分に沿って配置されており、前記第１の配列において、第１、第２及び第３の端子群の前記端子の接点部分はそれぞれ、仮想二等辺三角形を画定し、前記第１、第２及び第３の端子群のうちの隣接する端子群の前記接地端子の接点部分は、前記第１組の行に交互に配置されており、
前記第２の配列において、前記第１の端子群の前記テール部分は、仮想鋭角三角形を画定し、前記第２及び第３の端子群の前記テール部分はそれぞれ、仮想鈍角三角形を画定し、第２及び第３の端子群は、前記第１の端子群の両側に配置されている電気コネクタ。
【請求項１３】
前記第１及び第２の端子群のテール部分は、前記第１及び第２の端子群の接地端子のテール部分が、前記第２組の行のうちの異なる行に位置決めされるように構成され、第２の端子群の前記接地端子テールは、第１の端子群の２本の信号端子テールに隣接して位置決めされ、第２の端子群の接地端子脚と第１の端子群のうちの最も近い信号端子脚との間の距離Ｄ１は、第１の端子群の２本の信号端子脚の間の距離Ｄ２より大きい、請求項１２に記載の電気コネクタ。
【請求項１４】
距離Ｄ１は距離Ｄ２の約２倍である、請求項１３に記載の電気コネクタ。
【請求項１５】
金属カバーを更に有し、金属カバーは、回路基板内に延在するように構成された４本の脚を有する、請求項１３に記載の電気コネクタ。
【請求項１６】
第４の端子群を更に有し、第４の端子群は、仮想二等辺三角形を画定する端子の接点部分を有し、かつ、仮想鈍角三角形を画定する端子のテール部分を有する、請求項１５に記載の電気コネクタ。
【請求項１７】
第２及び第３の端子群はそれぞれ、対称な鈍角三角形配列を有する、請求項１６に記載の電気コネクタ。
【請求項１８】
電気コネクタであって、
ハウジングと、
ハウジング内に位置決めされた複数の端子であって、接点部分と脚部分とを有し、複数の端子の接点部分が第１行と第２行とにあり、かつ、複数の端子の脚部分が第３行と第４行とにあるようにハウジング内にそれぞれ位置決めされた複数の端子とを有し、
第１行と第２行との隣接する接点部分のそれぞれの間の距離が実質的に同じであり、
第３行の脚部分のそれぞれの間隔が距離Ｄであり、
第４行は、一列になった第１の脚部分、第２の脚部分、第３の脚部分及び第４の脚部分を有し、第２及び第３の脚部分の間隔が距離Ｄであり、第１の脚部分と第２の脚部分との間隔が距離Ｄ２であり、第３及び第４の脚部分の間隔は距離Ｄ２であり、Ｄ２はＤより大きい電気コネクタ。
【請求項１９】
距離Ｄ２はＤの約２倍である、請求項１８に記載の電気コネクタ。
【請求項２０】
第２及び第３の脚は差動信号対になるように構成され、第１及び第４の脚は接地端子になるように構成されている、請求項１８に記載の電気コネクタ。
【請求項２１】
第１の脚は第１の端子群の一部であり、第２及び第３の脚は第２の端子群の一部であり、第４の脚は第３の端子群の一部であり、第１、第２及び第３の端子群はそれぞれ、一対の差動信号対を有する、請求項２０に記載の電気コネクタ。
【請求項２２】
電気コネクタであって、
絶縁性コネクタハウジングと、コネクタハウジング内に配置された複数の導電性端子とを有し、端子がそれぞれ、前記端子の両端に配置された接点部分とテール部分とを有し、端子は、少なくとも第１、第２及び第３の個別の端子群となるように配置されており、第１、第２及び第３の端子群はそれぞれ、第１及び第２の差動信号端子及びこれらに関連する接地端子を有し、前記第１、第２及び第３の端子群はそれぞれ、前記コネクタハウジングを貫通して延在する単一の差動信号伝送線路を画定し、
前記コネクタハウジングは、嵌合面と取付面とを有し、前記端子の接点部分は、コネクタハウジングの嵌合面に沿って第１の端子配列で配列されており、前記端子のテール部分は、コネクタハウジングの取付面に沿って第２の端子配列で配列されており、前記第１の端子配列において、前記端子の接点部分は、第１及び第２行に対称的に配列され、前記第２の端子配列において、前記端子のテール部分は、第３及び第４行に非対称的に配列されており、
前記第１、第２及び第３の端子群の前記端子の接点部分が、さらに、仮想鋭角三角形の頂点に配列されており、第１、第２及び第３の端子群の前記端子のテール部分が、さらに、仮想三角形の頂点に配列されており、前記第１の端子群の前記テール部分は、仮想鋭角三角形を画定し、前記第２及び第３の端子群の前記テール部分は、前記第１の端子群の鋭角三角形の両側に配置された２個の仮想鈍角三角形を画定する電気コネクタ。
【請求項２３】
前記第１行及び第２行のそれぞれにおいて、前記端子の接点部分が、互いに第１の距離だけ離間されており、前記第３行において、前記端子のテール部分は、互いに前記第１の距離だけ離間されており、前記第４行において、前記第２及び第３の端子群の前記端子のテール部分は、前記第１の端子群の前記端子のテール部分から前記第１の距離より大きい第２の距離だけ離間されている、請求項２２に記載のコネクタ。
【請求項２４】
前記第２の距離は第１の距離の約２倍である、請求項２３に記載のコネクタ。
【請求項２５】
前記第４行は、前記第１の端子群における前記２本の信号端子のテール部分と、前記第２及び第３の端子群における前記接地端子のテール部分とを有し、前記第２及び第３の端子群における接地端子のテール部分は、前記第１の端子群における信号端子のテール部分の両側にそれぞれ配置されている、請求項２２に記載のコネクタ。
【請求項２６】
前記第１の端子群の信号端子のテール部分は、前記第１の距離Ｄだけ互いに離間されており、前記第２及び第３の端子群の接地端子のテール部分は、前記第１の端子群の信号端子のテール部分から前記第２の距離だけ離間されている、請求項２５に記載のコネクタ。
【請求項２７】
第２及び第３の端子群の信号端子のテール部分は、それぞれ前記第４行の前記第２の距離の間隔が設けられた部分と対向するように前記第３行に配置されている、請求項２６に記載のコネクタ。
【発明の詳細な説明】
【技術分野】
【０００１】
本出願は、２００７年１０月２５日に出願されたＰＲＣ（中国）出願第２００７２０１９４８１９．１号に基づく優先権を主張する。
【０００２】
本発明は、一般に、電気コネクタに関し、より詳細には、高速差動信号を伝送するための電気コネクタに関する。
【背景技術】
【０００３】
高速差動信号を伝送するための従来の電気コネクタは、通信分野で幅広い用途を有し、そのような用途のいくつかは、特許文献１及び特許文献２によって開示されている。図１及び２は、特許文献２からの図面であり、絶縁体６０、絶縁体６０に収容された複数の端子６１、及び、絶縁体６０を遮蔽（へい）するカバー６２を備えた電気コネクタ６を提供する。絶縁体６０は、接続部分６００と、端子６１をそれぞれ収容し接続部分６００を貫通する複数の端子収容スロットとを有する。端子６１は、信号端子、接地端子及び異なる用途の他の端子を有する。ａ、ｃ、ｄ、ｆ、ｇ、ｉ、ｊ及びｌと示された端子は信号端子であり、これらの端子のうちの２本は、差動信号を伝送するために対で使用される。ｂ、ｅ、ｈ及びｋと示された端子は接地端子であり、残りの端子ｍ〜ｓは異なる用途を有することができる。端子６１はそれぞれ、接続用の接点部分６１０と、例えば、はんだ付等によって回路基板７に接続された脚部分６１１と、接点部分６１０を脚部分６１１と接続する接続部分（図示せず）とを有する。接続部分６００にある端子６１の接点部分６１０は、高解像度マルチメディアインターフェイス（「ＨＤＭＩ」）の規格に準拠しており、図１では、コネクタの前面から見て２行に配列されている。これと対照的に、端子６１の脚部分６１１は、図２に示されるように、３列（又は３行）で配列され、この列はそれぞれ、回路基板７上の対応するパッド群７０、７１及び７２によって特定され、各パッド群は、脚部分の列と位置合せされている。パッド７０は、接続部分６００の中心に最も近いパッド群を構成し、対応する１組の端子をグラウンド（接地）に接続することができる。他の２個のパッド群７１及び７２は、各差動信号端子対の２本の端子と位置合せされている。中間のパッド群７１に接続されたリード線７３のうちの１本は、異なるパッド群の２個の隣接するパッド７２の間を通る。したがって、各差動信号端子対の２本の端子間の距離は、差動信号端子対に印加される一対の差動信号間に生じる干渉を低減するのに十分でない。
【先行技術文献】
【特許文献】
【０００４】
【特許文献１】米国特許第７，０９０，５４０号
【特許文献２】米国特許第７，０７７，６６８号
【発明の概要】
【発明が解決しようとする課題】
【０００５】
そのような従来の電気コネクタ６は、各差動信号端子対の２本の端子６１の脚部分６１１の間に等しい距離を有するが、３列のパッド７０、７１及び７２は、回路基板７上のより多くの面積を占有する。したがって、そのような従来技術は、現在の小型化傾向にある電気製品に適応するのに適していない。
【０００６】
本発明は、従来技術で生じた問題を克服し、かつ、従来技術より優れた更なる利点を提供する電気コネクタを提供するものであり、そのような利点は、添付した明細書を図面を検討しながら読むことで明らかになるであろう。
【課題を解決するための手段】
【０００７】
電気コネクタは、隣接する組の差動信号対の間の距離をコネクタの取付端で大きくすることができる端子配列を有する。隣接する組の差動信号対の間の干渉を減らすことができ、そのような改善にもかかわらず電気コネクタ全体の大きさを大きくする必要がない。
【０００８】
電気コネクタは、絶縁体と、絶縁体に収容された複数の信号端子及び複数の接地端子とを有する電気コネクタを提供する。信号端子と接地端子とはそれぞれ、接点部分と、脚部分と、接点部分を脚部分に接続する接続部分とを有する。端子の接点部分は、絶縁体上に２列で配列され、脚部分も２列で配列されている。１列に含まれる信号端子と接地端子の脚部分の自由端の位置配列は、それらの接点部分の位置配列と一致する。列内の各信号端子対の脚部分の自由端と比較して、他方の列内の２本の対応する隣接した端子の脚部分の自由端の間の距離は増大されている。
【０００９】
信号端子と接地端子との接点部分の配列は、高解像度マルチメディアインターフェイスの規格に準拠するが、用途は制限されない。二対の隣接する脚部分では、脚部分間のピッチが増大されている。そのような脚部分の間の増大された距離は、同じ列内にある他の対の隣接する脚部分の間の距離の２倍である。各端子の接続部分は、まず、接点部分から水平方向に延在し、次に、垂直方向に延在する。絶縁体は、複数の保持穴が開けられた保持板を有することができる。端子の脚部分は、対応する保持穴に挿入され、そこに保持される。絶縁体は、更に係合溝を有し、保持板の２個の縁には係合溝と係合する係合バンプが設けられている。
【００１０】
本電気コネクタは、脚部分が３列に配列された従来の電気コネクタと比較して、接点部分と脚部分の両方が２列に配列された点に特徴がある。端子の配列順序は、２列で互いに同一である。１列の脚部分のピッチは、特定部分内で変更されている。これにより、端子間の干渉を減少させることができ、また、構造は、電気コネクタが小型化された電気製品に適合するように単純化されている。
【００１１】
本発明の構造及び動作の構成及び方法は、その更なる目的及び利点とともに、添付図面と関連して行われる以下の説明を参照することによって理解することができるであろう。なお、添付図面において、類似の参照符号は類似の要素を示す。
【図面の簡単な説明】
【００１２】
【図１】先行技術の電気コネクタの正面図である。
【図２】図１のコネクタの下面図である。
【図３】回路基板に結合された電気コネクタの１つの実施の形態の不等角投影図である。
【図４】図３に示したコネクタの代替の不等角投影図である。
【図５】図３に示されるようにコネクタが取付けられた回路基板を含む図３のコネクタの分解不等角投影図である。
【図６】図３に示したコネクタの正面図である。
【図７】図３のコネクタの後面図である。
【図８】図５に示した回路基板の下面図である。
【図９ａ】コネクタを有する回路基板上に使用されるビア配列の下面図であり、ビアから出る信号トレースを概略的に示す。
【図９ｂ】ビアから出る信号トレースを概略的に示す回路基板の代替の実施の形態の下面図である。
【発明を実施するための形態】
【００１３】
本発明は、様々な形態で実施することができ、図面に示され本明細書において詳細に記載されているのは好ましい実施の形態である。しかし、本開示は本発明の原理の例示と考えるべきであり、図示され本明細書において記載されたものに本発明を限定することを意図しないことを理解されたい。
【００１４】
図３は、差動信号を高速で伝送するための電気コネクタ１を示す。コネクタ１は、絶縁性ハウジングすなわち絶縁体２、該絶縁体２に収容された複数の端子３、及び、絶縁体２を保護するカバー４を有する。コネクタ１は、回路基板Ｐに取付けられ、相手方コネクタ（図示せず）をコネクタ１と接続して高速差動信号を伝送することができるようにする。相手方コネクタに対向するコネクタ１の面は、以下の説明では接続面又は嵌（かん）合面１０と呼び、接続面１０と反対側の面は、以下の説明では後面又は取付面１１と呼び、回路基板に対向したコネクタ１の面は、以下の説明では下面１２と呼び、該下面１２と反対側の面は、以下の説明では上面１３と呼ぶ。
【００１５】
図４及び５に示されるように、絶縁体２は、本体２０と、該本体２０に取付けられた端子ハウジング部分２１とを有する。本体２０は、ブリッジ部分１７と、該ブリッジ部分１７の両端から下方に延在するフレーム２２とを有する。該フレーム２２の前方部分１９は、接続面１０に向って延在する。端子ハウジング部分２１は、フレーム２２間に接続面１０から後面１１まで延在する。複数の端子収容スロット２３が、端子ハウジング部分２１を貫通して嵌合面１０から取付面１１まで設けられている。各端子収容スロット２３の位置は、どの端子３が端子収容スロット２３に挿入されるかによって決定される。
【００１６】
コネクタの端子３は、主に差動信号端子対として配列され、そのような各差動信号端子対には接地端子が関連付けられている。図５〜８に最もよく示されているように、コネクタ１は２０本の端子３を有し、これには、四対の差動信号端子（図では、方向Ａに沿って順番にＳ１〜Ｓ８と示されている。）、４本の接地端子（順番にＧ１〜Ｇ４と示されている。）、及び、差動信号と接地信号との伝送以外の機能に使用されるであろう８本の端子（順番にＯ１〜Ｏ８として示されている）が含まれる。例えば、端子は、電力の供給、電力の戻し又はホットプラグの検出のために使用されてもよく、一以上の補助信号チャネルとして使用されてもよい。
【００１７】
各端子３は、相手方コネクタに接続するための接点部分３００、回路基板Ｐに接続される脚すなわちテール部分３０１、及び、接点部分３００を脚部分３０１と相互接続する接続部分３０２を有する。絶縁体２の端子ハウジング部分２１内に配置された端子３の接点部分３００は、ＨＤＭＩ規格（又は、他の望ましい規格）に準拠しており、接地端子と関連付けられた各信号端子は、図６に示したように互い違いに２行で配列されている。
【００１８】
実際には、第１対の信号端子Ｓ１、Ｓ２は、第１の接地端子Ｇ１と協力して第１の端子セットを構成し、かつ、コネクタを貫通する差動信号伝送線路を画定し、第２対の信号端子Ｓ３、Ｓ４は、第２の接地端子Ｇ２と協力して第２の端子セットを構成し、第３対の信号端子Ｓ５、Ｓ６は、第３の接地端子Ｇ３と協力して第３の端子セットを構成し、第４対の信号端子Ｓ７、Ｓ８は、第４の接地端子Ｇ４と協力して第４の端子セットを構成する。これらの各セットの２本の差動信号端子は、同じ行に配列され、一方、それぞれのセットの関連する接地端子は、他の行に配置され、３本の端子は、コネクタの前面にほぼ二等辺三角形の頂点として現われる。隣接する端子セットは、反転すなわち互い違いの配列で配置されている。すなわち、一方のセットの接地端子と他方のセットの信号端子とは、同一行に順番に配置され、したがって、１本の接地端子は、その行の隣接する二対の信号端子の間に配置される。例えば、図６にはっきりと示されるように、第１の信号端子Ｓ１、Ｓ２の接点部分３００は上側行に配置され、第１の接地端子Ｇ１の接点部分３００は下側行に配置され、第２の信号端子Ｓ３、Ｓ４の接点部分３００は下側行に第１の接地端子Ｇ１と隣接して配置され、第２の接地端子Ｇ２の接点部分３００は上側行に第１の信号端子Ｓ１、Ｓ２の接点部分３００と隣接して配置される。異なる機能を有する他の端子３は、端子Ｓ１、Ｓ２、Ｇ２、Ｓ５及びＳ６がある上側行と、端子Ｇ１、Ｓ３、Ｓ４、Ｇ３、Ｓ７及びＳ８がＡ方向に沿って配列された下側行に順番に配置されている。
【００１９】
各端子３の接続部分３０２の水平部分は、接点部分３００から端子収容スロット２３に沿って延在し、該端子収容スロット２３内に保持されるように端子収容スロット２３の側壁による締り嵌（ば）めを有する（図５）。接続部分３０２は、端子収容スロット２３から外方に延在し、その水平部分から曲げられて垂直部分となる。各端子３の脚部分３０１は、接続部分３０２の垂直部分から延在する。接続面１０上の下側行で始まる端子３の脚部分３０１は、その対応する接点部分３００（Ｇ１、Ｓ３、Ｓ４、Ｇ３、Ｓ７、Ｓ８）と同じ配列順序を有し、２個の任意の隣接する脚部分３０１間の距離は、図８の一定寸法Ｄと等しい。接続面１０上の上側行で始まる端子３の脚部分３０１は、その対応する接点部分３００（Ｓ１、Ｓ２、Ｇ２、Ｓ５、Ｓ６）と同じ配列順序を有するが、隣接する脚部分３０１間の距離は部分的に異なる。すなわち、端子Ｓ１／Ｓ２、Ｓ２／Ｇ２、Ｓ５／Ｓ６の２個の隣接する脚部分３０１間の距離は、ピッチすなわち一定寸法Ｄと等しく、端子Ｇ２／Ｓ５、Ｓ６／Ｇ４の２個の隣接する脚部分３０１間の距離は、一定寸法Ｄの２倍である。回路基板Ｐ上のパッドＰ２の配置において様々な距離を示す図８も注目されたい。パッドＰ２の位置は、端子３のテール部分３０１の自由端に直接対応しており、対応する端子の文字によって明確に印が付けられている。
【００２０】
したがって、第２のセットの接地端子Ｇ２と第３のセットの隣接する信号端子Ｓ５との間の距離は、一定寸法Ｄの２倍である。同様に、第４のセットの第４の接地端子Ｇ４と第３のセットの隣接する信号端子Ｓ６との間の距離も一定寸法Ｄの２倍である。これらの配列に合せるために、端子Ｇ１、Ｓ３、Ｓ４、Ｇ３、Ｓ７及びＳ８のテール部分３０１は、その接続部分３０２の対応する垂直部分から垂直方向に延在し、端子Ｓ５及びＳ６のテール部分３０１は、対応する接続部分３０２の垂直部分から垂直方向に延在するが、端子Ｓ５及びＳ６の水平部分は、端子Ｇ１、Ｓ３、Ｓ４、Ｇ３、Ｓ７及びＳ８の水平部分より長く、端子Ｇ２、Ｓ２、Ｓ１のテール部分３０１は、曲げられ、一方のフレーム部材２２の方に横方向斜めに延在し、次に、垂直方向に延在し、端子Ｇ４（及び、その近くの任意の端子）のテール部分３０１も曲げられ、他方のフレーム部材２２の方に横方向斜めに曲げられ、次に、垂直方向に延在する。回路基板Ｐ上のパッドＰ２の配置を参照すると、コネクタ１の他の端子３のテール部分３０１によって、回路基板Ｐは、（図８の電気コネクタ１の接続面１０に近い）内側列のパッドＰ２に接続されたトレースのための十分な引回しスペースを提供し、それにより雑音障害の発生を防ぐことができる。トレースの引回しの実施の形態を図９ｂに示す。
【００２１】
したがって、コネクタの端子のアラインメント（配列）は、各差動信号端子セットが、コネクタの嵌合面に三角形の端子群を形成し、関連する接地端子と２本の信号端子との間に延在する三角形の辺がほぼ等距離になるように構成されていてもよいことが分かる。しかしながら、後面すなわち取付面上では、差動信号端子セット（Ｓ５、Ｓ６、Ｇ３）は、接地端子と信号端子間の三角形の辺が同じ大きさになるように三角形にされた第１の端子群４０１を構成する。さらに、図９ｂから分かるように、第１の端子群４０１は、取付面上に仮想鋭角三角形を形成する。「鋭角」三角形とは、本明細書で使用されるとき、各角度が９０度より小さい三角形を意味する。他の３セットは、取付面上において端子群４０２、４０３及び４０４を構成し、これらの端子群も三角形である。少なくとも複数の端子群４０２、４０３、４０４は、関連する接地端子と信号端子対との間の辺の長さが等距離でない（例えば、一方の辺が他方の辺よりかなり長い）仮想三角形を構成する。図９ｂから容易に分かるように、例えば、脚側において、端子は、端子群４０２、４０３及び４０４が鈍角三角形を形成するように構成されてもよい。「鈍角」三角形とは、本明細書で使用されるとき、３個の角度のうちの１個が９０度より大きい三角形を意味する。さらに、第２の端子群４０３及び第３の端子群４０４は、端子群４０１の両側に位置決めされ、第１の端子群４０１の鋭角三角形配列が、第２の端子群４０３及び第３の端子群４０４の鈍角三角形配列によって両側を取囲まれるように構成される。したがって、複数の端子群は、２本の信号端子が接地端子から実質的に等距離の三角形を取付面上に形成する。しかしながら、該取付面上では、これらの端子群の大部分は、信号端子対と関連する接地端子とが、該接地端子のテール部分と２本の各信号端子のテール部分との距離が実質的に異なるように構成された三角形を形成する。
【００２２】
カバー４は、金属で形成され、絶縁体２が取付けられる収容部分４０と、該収容部分４０の一方の面から延在する支持フレーム４１と、収容部分４０の他方の面から延出する取付脚４２とを有する。該取付脚４２は、回路基板Ｐ上の取付穴に挿入され、その結果、カバー４が回路基板Ｐ上に固定される。
【００２３】
コネクタ１の全高さが、従来の電気コネクタより大きいので、それに応じて端子３のテール部分３０１は長くなっている。
【００２４】
絶縁体２は、着脱式の端子テール部分保持板２４を有してもよい。該保持板２４は、立方形の外観を有し、保持板２４の短い２個の縁には係合バンプ２４０が設けられている。保持板２４には複数の保持穴２４１が貫通している。端子３の脚部分３０１は、対応する保持穴２４１を通る。本体２０の２個のフレーム２２の下側面には、保持板２４を本体２０に保持する係合溝２２０が設けられている。
【００２５】
取付面に３行で配列されたテール部分を有する従来の電気コネクタと比較して、本発明は、接点部分３００とテール部分３０１との両方が２行に配列されているという特徴を有する。端子３の配列順は、２列において互いに同一でよい。１列のテール部分３０１のピッチは、特定部分内で変更される。これにより、端子３間の電気的干渉、例えば、クロストークを減少させることができ、構造は、コネクタが小型化電気製品に適合するように単純化される。
【００２６】
特に、図９ａは、均一に離間された２列の端子を有する回路基板Ｐの１つの実施の形態の概略図を示す（図２の構成を示すが、非信号端子／接地端子が、第３行ではなく側方に配置されている点が異なる。）。ビアからトレースセットＴａ、Ｔｂ、Ｔｃ及びＴｄが延在していることが分かる。このような構成に関して問題であると判断されたことは、トレースセットＴａ及びＴｃが他の信号端子対のためのビアに近いために生じるクロストークである。さらに、ビア間のスペースが制限されるので、トレースが２本の端子間を通ることを可能にするのに必要な製作公差によって、回路基板Ｐのコストが増える。しかしながら、端子の三角形配列を嵌合面から取付面までコネクタ全体に亘（わた）って維持することが要求されるので、従来は、このような構成を変更することは望ましいことであると考えられていなかった。
【００２７】
これと対照的に、図９ｂに示した実施の形態のビアパターンの図が示すように、図８に示されるような実施の形態では、４個のトレースセットＴ１、Ｔ２、Ｔ３及びＴ４が設けられる場合がある。ここで、トレースセットＴ１が、ビアＧ４とビアＳ６との間にある広い隙（すき）間を通ることができることが分かる。同様に、トレースセットＴ３は、ビアＧ２とビアＳ５との間にある広い隙間を通ることができる。したがって、図９ｂに示されたビアパターンによって、回路基板上のクロストークを減少させることができ、製造コストを削減することができ、トレースセットＴａ及びＴｃを構成する信号トレース間の結合を良好にすることができる。その結果、図７に示されるようにコネクタが構成された場合に回路基板において行える改善は、該改善を実施するコストに対してシステム全体の性能を十分に高めることができる。
【００２８】
本発明の好ましい実施の形態を示し説明したが、当業者であれば、添付の特許請求の範囲の精神及び範囲から逸脱することなく本発明の様々な変形例を思い付くことが予想される。
【図１】
2010532914.tif 000003
【図２】
2010532914.tif 000004
【図３】
2010532914.tif 000005
【図４】
2010532914.tif 000006
【図５】
2010532914.tif 000007
【図６】
2010532914.tif 000008
【図７】
2010532914.tif 000009
【図８】
2010532914.tif 000010
【図９ａ】
2010532914.tif 000011
【図９ｂ】
2010532914.tif 000012
【国際調査報告】
2010532914.tif 000013
2010532914.tif 000014